(57)【特許請求の範囲】
【請求項１】
独立に電位制御の可能な少なくとも３つの電極が配置された放電セルをもつプラズマディスプレイパネルにおける印加電圧の設定方法であって、
第１の電極間の実効電圧と第２の電極間の実効電圧との関係を表す座標空間において、放電の開始する電圧を表す点をプロットして壁電荷量を変化させる電荷調整放電の生じる電圧範囲を求め、
前記電圧範囲に基づいて、各放電セルの第１および第２の電極間の双方で電荷調整放電を生じさせるために前記放電セルに印加する漸増電圧の波形を定める
ことを特徴とするプラズマディスプレイパネルにおける印加電圧の設定方法。
【請求項２】
前記電圧範囲に基づいて、前記電荷調整放電による発光量を最小化するように前記漸増電圧の波形を定める
請求項１記載のプラズマディスプレイパネルにおける印加電圧の設定方法。
【請求項３】
独立に電位制御の可能な少なくとも３つの電極が配置された放電セルをもつプラズマディスプレイパネルの駆動方法であって、
アドレッシングの前処理として、各放電セルの少なくとも２つの電極間で、これら電極間のそれぞれへの漸増電圧の印加によって壁電荷量を変化させる電荷調整放電を同時に開始させる
ことを特徴とするプラズマディスプレイパネルの駆動方法。
【請求項４】
アドレッシングの前処理として、各放電セルの第１の電極間で第１の電荷調整放電を生じさせた後に、第２および第３の電極間の双方で第２の電荷調整放電を同時に開始させる
請求項３記載のプラズマディスプレイパネルの駆動方法。
【請求項５】
前記第１の電荷調整放電を生じさせるために印加する電圧の変化と、前記第２の電荷調整放電を生じさせるために印加する電圧の変化とが、実質的に等しい
請求項４記載のプラズマディスプレイパネルの駆動方法。
【請求項６】
一定の変化率で増加する電圧の印加によって、前記電荷調整放電を生じさせる
請求項３記載のプラズマディスプレイパネルの駆動方法。
【請求項７】
変化率が徐々に小さくなる鈍波波形の電圧の印加によって、前記電荷調整放電を生じさせる
請求項３記載のプラズマディスプレイパネルの駆動方法。
【請求項８】
段階的に増加する階段波形の電圧の印加によって、前記電荷調整放電を生じさせる
請求項３記載のプラズマディスプレイパネルの駆動方法。
【請求項９】
印加対象の電極間の実効電圧が放電開始電圧を越えない期間の変化率が放電開始電圧を越える期間の変化率よりも大きい波形の電圧の印加によって、前記電荷調整放電を生じさせる
請求項３記載のプラズマディスプレイパネルの駆動方法。
【請求項１０】
印加対象の電極間の実効電圧が放電開始電圧を越えない期間では放電開始電圧を越える期間と比べて実効電圧を大きく変化させ、放電開始電圧を越える期間では実効電圧を漸増させる波形の電圧の印加によって、前記電荷調整放電を生じさせる
請求項３記載のプラズマディスプレイパネルの駆動方法。
【請求項１１】
独立に電位制御の可能な少なくとも３つの電極が配置された放電セルからなる画面をもつプラズマディスプレイパネルと、
アドレッシングの前処理として、各放電セルの少なくとも２つの電極間で、これら電極間のそれぞれへの漸増電圧の印加によって帯電極性を反転させずに壁電荷量を変化させる電荷調整放電を同時に開始させる駆動回路とを備えた
ことを特徴とする表示装置。
【発明の詳細な説明】
【０００１】
【発明の属する技術分野】
本発明は、ＰＤＰ（Plasma Display Panel：プラズマディスプレイパネル）における印加電圧の設定方法および駆動方法に関し、面放電型ＰＤＰの駆動に好適である。ここでいう面放電形式は、輝度を確保する表示放電において陽極および陰極となる表示電極（第１電極および第２電極）を、前面側または背面側の基板の上に平行に配列する形式である。
【０００２】
ＰＤＰにおいては画面が大きいほどセル構造の均等化が難しく、セルが小さいほどセル構造の微妙な差異の放電特性への影響が大きい。画面の大型化および高精細化をさらに進めるには、放電特性のバラツキを許容することのできる電圧マージンの広い駆動方法が必要である。
【０００３】
【従来の技術】
典型的な面放電型ＰＤＰは、表示電極対と交差するようにアドレス電極（第３電極）を配列した３電極構造をもつ。３電極構造の基本形態は画面の各行に一対ずつ表示電極を配置するものである。他の形態としては、画面の行数ｎに１を加えた本数の表示電極を等間隔に配列し、隣接する電極どうしを電極対とした面放電を生じさせる電極構成がある。どちらにしても、表示素子であるセル（放電セル）には独立に電位制御の可能な３つの電極が存在する。
【０００４】
表示に際しては表示電極対を覆う誘電体層のメモリ機能が利用される。すなわち、表示内容に応じた帯電状態を形成するライン走査形式のアドレッシングを行い、その後に各行の表示電極対に対して交番極性の点灯維持電圧Ｖｓを印加する。アドレッシングには、第２電極をスキャン電極として用い、第３電極をデータ電極として用いる。
点灯維持電圧Ｖｓは次式を満たす。
【０００５】
Ｖｆ−Ｖｗ＜Ｖｓ＜Ｖｆ
Ｖｆ：点灯維持放電の開始電圧
Ｖｗ：電極間の壁電圧
点灯維持電圧Ｖｓの印加によって、壁電荷の存在するセルのみにおいてセル電圧（電極に印加する電圧に壁電圧が重畳した実効電圧）が放電開始電圧Ｖｆを越えて基板面に沿った面放電が生じる。
【０００６】
ＰＤＰの放電セルは２値発光素子である。ＰＤＰの駆動系は、フレーム毎に個々の放電セルの積分発光量を階調値に応じて設定することによって中間調を再現する。カラー表示は階調表示の一種であって、表示色は３原色の輝度の組合せによって決まる。階調表示には、１フィールドを輝度の重み付けをした複数のサブフィールドで構成し、サブフィールド単位の発光（点灯）の有無の組合せによって積分発光量を設定する方法が用いられる。例えば２５６階調の表示をするにはフレームを輝度の重みがそれぞれ１、２、４、８、１６、３２、６４、１２８の８個のサブフレームに分割すればよい。一般に輝度の重み付けは発光回数によって設定される。フィールドとは、時系列の画像表示の単位画像である。インタレース形式の場合は１フレームを構成するフィールドそのものを意味し、ノンインタレース形式の場合はフレームがここでいうフィールドに相当する。
【０００７】
サブフィールド（以下、ＳＦという）には、アドレッシングを行うアドレス期間と輝度の重みに応じた回数の表示放電を生じさせるサステイン期間とに加えて、アドレッシングに先立って画面全体の帯電状態を均等にする初期化（アドレッシング準備）のための期間（準備期間）を割り当てる。サステイン期間の終了時点では、壁電荷が比較的に多く残存する放電セルとほとんど残存しない放電セルとが混在するので、アドレッシングの信頼性を高めるために準備処理として初期化を行う。
【０００８】
米国特許５７４５０８６号には、第１および第２のランプ電圧を放電セルに順に印加する初期化過程が開示されている。穏やかな勾配のランプ電圧を印加することにより、次に説明する微小放電の性質から、初期化における発光の光量をほぼ零としてコントラストの低下を防ぎ、かつセル構造のバラツキに係わらず壁電圧を任意の目標値に設定することができる。
【０００９】
ランプ電圧の傾きが緩やかであれば印加電圧の上昇途中に微小な電荷調整放電が複数回起きる。さらに傾きを緩やかにすると放電強度が小さくなるとともに放電周期が短くなって、連続的な放電形態へと移行していく。以下の説明では、周期的な電荷調整放電及び連続的な電荷調整放電を総称して、“微小放電”と呼称する。
【００１０】
微小放電においては、ランプ波のピーク電圧値だけで壁電圧を設定することができる。なぜなら、微小放電中には、放電空間に加わるセル電庄Ｖｃ（＝壁電圧Ｖｗ＋印加電圧Ｖｉ）が、ランプ電圧の上昇によって放電開始閾値（以下、Ｖｔという）を超えても、微小放電が起きることによってセル電圧が常にＶｔ近傍に保たれるからである。微小放電により、ランプ電圧の上昇分とほぼ同等分だけ壁電圧が下がるのである。ランプ電圧の最終値をＶｒ、ランプ電圧が最終値Ｖｒに達した時点の壁電圧をＶｗとすると、セル電圧ＶｃがＶｔに保たれているので、
Ｖｃ＝Ｖｒ＋Ｖｗ＝Ｖｔ
∴Ｖｗ＝−（Ｖｒ−Ｖｔ）
の関係が成立する。Ｖｔは放電セルの電気的特性で決定される一定値であるので、ランプ電圧の最終値Ｖｒの設定によって、目的とする任意の値に壁電圧を設定することができる。詳しくは、放電セル間でＶｔに微妙な差異があったとしても、全ての放電セルについてそれぞれのＶｔとＶｗとの相対差を均等にすることができる。
【００１１】
さて、従来の駆動方法では、第１のランプ電圧の印加によって、第１電極と第２電極との電極間（これをＸＹ電極間という）、および第２電極と第３電極との電極間（これをＡＹ電極間という）に壁電荷を形成する。その後、第２のランプ電圧の印加によって、ＸＹ電極間およびＡＹ電極間の壁電圧を目標値に近づける。第１のランプ電圧の振幅は、第２のランプ電圧で必ず微小放電が起きるように選定される。
【００１２】
図３６を参照して、従来の初期化をさらに詳しく説明する。図３６においては第２電極を基準にＸＹ電極間およびＡＹ電極間の電圧の変化を示してある。ここで注意すべきことは、ＸＹ電極間およびＡＹ電極間の壁電圧については極性を反転してプロットしてあることである。このように図示すると、印加電圧Ｖｉの波形と壁電圧Ｖｗの波形との差からＸＹ電極間のセル電圧とＡＹ電極間のセル電圧とをそれぞれ直読することができる。すなわち、任意の時点における印加電圧Ｖｉのプロット位置と壁電圧Ｖｗのプロット位置との距離がセル電圧の絶対値を表す。壁電圧Ｖｗについては、初期化対象のＳＦの１つ前に表示された前ＳＦにおいて、注目するセルが点灯の場合の電圧変化を破線で、非点灯の場合の電圧変化を一点鎖線で描いてある。ここでは、ＸＹ電極間の壁電圧ＶｗXYの絶対値については、前ＳＦで点灯したセルの値が非点灯であったセルの値よりも大きく、ＡＹ電極間の壁電圧ＶｗAYの絶対値については、前ＳＦで点灯したセルの値が非点灯であったセルの値よりも小さいと仮定する。実際には、初期化開始時点の壁電圧Ｖｗは、前ＳＦの表示パルス数や表示過程の最終の電圧印加の極性に依存し、前ＳＦにおける点灯の場合と非点灯の場合との壁電圧の大小関係が図示と異なる状況が出現しうる。さらに壁電圧Ｖｗの値にある程度のばらつきがある。
【００１３】
前ＳＦにおいて点灯の場合、図中Ａの時点でＸＹ電極間のセル電圧がＸＹ電極間の放電開始閾値（以下、ＶｔYX）に達する。したがって、時点Ａから第１ランプ電圧の印加終了まで、微小放電によってＸＹ電極間のセル電圧はＶｔYXに保たれる。時点Ａから暫くはＸＹ電極間の放電（以下、ＸＹ放電という）が支配的である。この期間では、主としてＸＹ電極間の壁電圧ＶｗXYが変化する。ただし、ＡＹ電極間の壁電圧ＶｗAYも多少は変化する。時点Ａ以後におけるＸＹ電極間の印加電圧ＶｉXYおよびＡＹ電極間の印加電圧ＶｉAYの増大（図では極性が負）に伴い、ＸＹ電極間のセル電圧はＶｔYXに保たれたままであるが、ＡＹ電極間のセル電圧は増大していく。図中Ｂの時点でＡＹ電極間のセル電圧が放電開始閾値（以下、ＶｔYA）に達すると、その後は第１ランプ電圧の印加終了まで、ＡＹ電極間のセル電圧はＶｔYAに保たれる。第１ランプ電圧のＸＹ電極間の最終値を−ＶｒxY１、ＡＹ電極間の最終値を−ＶｒAY１とすると、第１ランプ電圧終了時点におけるＸＹ電極間の壁電圧ＶｗXYはＶｒXY１−ＶｔYXであって、ＡＹ電極間の壁電圧ＶｗAYはＶｒAY１−ＶｔYAである。
【００１４】
一方、前ＳＦにおいて非点灯の場合は、図中Ｅの時点でＡＹ電極間のセル電圧がＡＹ電極間の放電開始閾値ＶｔYAに達し、時点Ｅから第１ランプ電圧の印加終了までＡＹ電極間のセル電圧はＶｔYAに保たれる。ＡＹ電極間の放電（以下、ＡＹ放電という）が支配的である期間では、主としてＡＹ電極間の壁電圧ＶｗAYが変化する。ただし、ＸＹ電極間の壁電圧ＶｗXYも多少は変化する。時点Ｅ以後の印加電圧ＶｉXY，ＶｉAYの増大に伴い、ＡＹ電極間のセル電圧はＶｔYAに保たれたままであるが、ＸＹ電極間のセル電圧は増大していく。図中Ｆの時点でＸＹ電極間のセル電圧がＶｔYXに達すると、その後は第１ランプ電圧の印加終了まで、ＡＹ電極間のセル電圧はＶｔYAに保たれる。したがって、前ＳＦにおいて点灯の場合と同様に、第１のランプ電圧終了時点におけるＸＹ電極間の壁電圧ＶｗXYはＶｒXY１−ＶｔYXであって、ＡＹ電極間の壁電圧ＶｗAYはＶｒAY１−ＶｔYAである。
【００１５】
以上から、第１ランプ電圧によってＸＹ電極間の微小放電およびＡＹ電極間の微小放電の双方が起これば、第１ランプ電圧の印加終了時の壁電圧は所定値になることが判る。このように一つのランプ波形の電圧印加において、２つの電極間で同じ時期に放電が生じることを、“同時放電”と呼称する。
【００１６】
第１ランプ電圧の次に第２ランプ電圧を印加する。図中Ｃの時点でＸＹ電極間のセル電圧が放電開始閾値ＶｔXYに達し、時点Ｃから第２ランプ電圧の印加終了までＸＹ電極間のセル電圧はＶｔXYに保たれる。時点Ｃから暫くはＸＹ放電が支配的である。この期間では主としてＸＹ電極間の壁電圧ＶｗXYが変化する。ＡＹ電極間の壁電圧ＶｗAYも多少は変化する。時点Ｃ以後における印加電圧ＶｉXY，ＶｉAYの増大（図では極性が正）に伴い、ＸＹ電極間のセル電圧はＶｔYXに保たれたままであるが、ＡＹ電極間のセル電圧は増大していく。図中Ｄの時点でＡＹ電極間のセル電圧が放電開始閾値ＶｔAYに達すると、ＸＹ電極間のセル電圧はＶｔXYに保たれ、ＡＹ電極間のセル電圧はＶｔAYに保たれる。すなわち、ＸＹ電極間及びＡＹ電極間の同時放電が起こる。第２ランプ電圧のＸＹ電極間の最終値をＶｒXY２、ＡＹ電極間の最終値をＶｒAY２とすると、第２ランプ電圧終了時点におけるＸＹ電極間の壁電圧ＶｗXYは−ＶｒXY２＋ＶｔXYで、ＡＹ電極間の壁電圧ＶｗAYは−ＶｒAY２＋ＶｔAYである。したがって、第２ランプ電圧で同時放電が起こることが保証されるならば、第２ランプ電圧の最終値の選定によって、壁電圧をアドレッシングに必要な値に設定することができるのである。なお、以上の説明では、第１ランプ電圧でも、第２ランプ電圧でも同時放電が起こる場合を挙げたが、第２ランプ電圧で同時放電が起こることを保証できれば、第１ランプ電圧で必ずしも同時放電が起こる必要はない。さらには、第２ランプ電圧で同時放電が起こることが保証されるならば、第１ランプ電圧で放電が起こる必要さえないのである。
【００１７】
【発明が解決しようとする課題】
初期化の良否はそれを開始する時点の壁電圧に影響される。従来では、ランプ電圧の最終値Ｖｒおよび変化率（傾き）の設定の如何によっては、同時放電が起こらない状況が頻発するという問題があった。上述したとおり、同時放電が起こらなければ、初期化終了時の壁電圧が目標どおりとなる保証はない。
【００１８】
図３７は同時放電が起こらない印加電圧波形の第１例を示す図である。ここでは、初期化が２以上のランプ電圧を順に印加する複数段階の過程から構成されているものとし、図はそのうちのいずれか一つの段階の波形を示したものである。
【００１９】
図３７では、ランプ電圧の印加開始時点のＸＹ電極間の壁電圧ＶｗXYが負で、ＡＹ電極間の壁電圧ＶｗAYが正である。ＸＹ電極間に正の電圧が印加されるので、最初にＸＹ放電が始まる。これにより、主として壁電圧ＶｗXYが変化し、ＡＹ電極間の壁電圧ＶｗAYも多少変化する。ランプ電圧の最終値が過小であると（ＶｒXY１，ＶｒAY１の場合）、壁電圧ＶｗAYの増加のためにＡＹ電極間では放電開始条件を満たさず、同時放電が起こらない。ランプ電圧の最終値を大きくすると同時放電が起こる（ＶｒXY２，ＶｒAY２の場合）。したがって、この場合はランプ波の振幅を十分に大きくしておけばよい。しかし、印加電圧をいくら大きい値に設定しても同時放電が起こらない条件も存在する。
【００２０】
図３８は同時放電が起こらない印加電圧波形の第２例を示す図である。一対の表示電極（第１および第２の電極）の構造が同一であるとする。また、ランプ電圧の印加開始時点の壁電圧ＶｗXY，ＶｗAYが零であると仮定する。図３８（ａ）は各電極に印加する電圧（接地ラインと電極との電圧）の波形図、図３８（ｂ）は電極間の電圧の波形図である。ＸＹ電極間のランプ波形の傾きがＡＹ電極間のランプ波形の傾きの２倍であり、ＸＹ電極間のランプ電圧の最終値がＡＹ電極間のランプ電圧の最終値の２倍である。電圧条件に差異はあるものの、波形パターンとしては、図３８の波形は図３６の波形と同じである。
【００２１】
印加電圧が増大していくと、最初のＸＹ電極間のセル電圧がＶｔXYに達し、ＸＹ電極間のセル電圧をＶｔXYに保持するように壁電圧ＶｗXYが変化する。ＸＹ放電では主としてＸＹ電極間の壁電圧が変化するが、ＡＹ電極間の壁電圧ＶｗAYも変化する。壁電圧ＶｗAYの変化により、ＡＹ電極間のセル電圧は常にＶｔXYの半分の値に保たれる。したがって、いくらランプ電圧の最終値ＶｒXY，ＶｒAYを大きくしても、決してＡＹ電極間の放電開始条件を満たすことがなく、同時放電が起きないのである。
【００２２】
以上のように、初期化以前の壁電圧の値や、ランプ波形の傾き、およびランプ電圧の最終値によっては同時放電が起こらず、十分な初期化が行えない。その結果、確実にアドレッシングを行うことのできる電圧マージンが狭くなるという問題があった。本発明は、ＰＤＰの駆動電圧マージンの改善を目的とする。
【００２３】
【課題を解決するための手段】
本発明においては、ランプ電圧に代表される漸増電圧の印加による初期化動作を定量的に解析し、その解析結果に基づいて印加電圧を設定する。定量的な解析により、試行錯誤の実験による駆動条件の設定と比べて、セル構造に応じた最良の駆動設定を容易かつ迅速に行うことができる。
【００２４】
まず、定量的な解析の方法を説明する。第１電極（Ｘ）、第２電極（Ｙ）および第３電極（Ａ）の３つの電極をもつセルにおける放電に係わる状態は、ＸＹ電極間のセル電圧とＡＹ電極間のセル電圧で記述することができる。第１電極と第３電極との電極間（これをＡＸ電極間という）のセル電圧は、ＸＹ電極間のセル電圧とＡＹ電極間のセル電圧の差として表すことができるので、ＸＹ電極間およびＡＹ電極間の２組の電圧でセルの状態が決まる。セルの状態を記述するセル電圧の組み合せは、これ以外に、ＡＸ電極間のセル電圧とＡＹ電極間のセル電圧の組、ＡＸ電極間のセル電圧とＸＹ電極間のセル電圧の組がある。どの組を選んでもよい。ここでは、ＸＹ電極間のセル電圧とＡＹ電極間のセル電圧の組で説明する。セルの状態を図上で表すため、ＸＹ電極間のセル電圧とＡＹ電極間のセル電圧を直交座標平面で表すことにする（図１参照）。以下、この座標空間を“セル電圧平面”と呼称する。セルの状態はセル電圧平面上の点として表すことができる。また、セル電圧は、壁電圧Ｖｗと印加電圧Ｖｉとの和であることから、セル電圧平面を用いると、３電極間の印加電圧・壁電圧・セル電圧の関係を直感的に把握することができる。
【００２５】
セル電圧平面上に微小放電が開始するセル電圧点をプロットした点集合を“Ｖｔ閉曲線”と呼称する。Ｖｔ閉曲線はセル電圧平面における微小放電が生じる電圧範囲を表す。放電が停止している状態のセル電圧点は、必ずＶｔ閉曲線の内側に位置する。ＸＹ，ＡＹ，ＡＸの各電極間の微小放電が、それぞれの電極間のセル電圧だけで決まって残りの電極の影響を受けない場合には、Ｖｔ閉曲線は図２に示すような６つの直線で囲まれた六角形状をする。図中で、第２電極（Ｙ）を陰極とするＸＹ電極間の微小放電が開始するセル電圧の閾値をＶｔXYとし、第２電極を陽極とするＸＹ電極間の微小放電が開始するセル電圧の閾値をＶｔYXとし、第１電極（Ｘ）を陰極とするＡＸ電極間の微小放電が開始するセル電圧の閾値をＶｔAXとし、第１電極を陽極とするＡＸ電極間の微小放電が開始するセル電圧の閾値をＶｔXAとし、第２電極を陰極とするＡＹ電極間の微小放電が開始するセル電圧の閾値をＶｔAYとし、第２電極を陽極とするＡＹ電極間の微小放電が開始するセル電圧の閾値をＶｔYAとした。以下、放電開始電圧の各閾値にこれと同じ記号を用いることにする。図３に実測によるＶｔ閉曲線を例示する。図３ではＸＹ放電が第３電極の影響を受けてＶｔ閉曲線が歪んでいるが、以下の説明では、Ｖｔ閉曲線が六角形であると近似してセルの特性を扱う。
【００２６】
図２のＶｔ閉曲線の６つの辺、ＡＢ，ＢＣ，ＣＤ，ＤＥ，ＥＦ，ＦＡはそれぞれ次のように１つの電極間の放電と対応している。
辺ＡＢ：第２電極を陰極とするＡＹ放電
辺ＢＣ：第１電極を陰極とするＡＸ放電（ＡＸ電極間の放電）
辺ＣＤ：第１電極を陰極とするＸＹ放電
辺ＤＥ：第３電極を陰極とするＡＹ放電
辺ＥＦ：第３電極を陰極とするＡＸ放電
辺ＦＡ：第２電極を陰極とするＸＹ放電
また、６つの頂点Ａ，Ｂ，Ｃ，Ｄ，Ｅ，Ｆは次の組み合わせの同時放電に対応している。
【００２７】
点Ａ：第２電極を共通陰極とするＸＹ電極間およびＡＹ電極間の同時放電
点Ｂ：第３電極を共通陽極とするＡＹ電極間およびＡＸ電極間の同時放電
点Ｃ：第１電極を共通陰極とするＡＸ電極間およびＸＹ電極間の同時放電
点Ｄ：第２電極を共通陽極とするＸＹ電極間およびＡＹ電極間の同時放電
点Ｅ：第３電極を共通陰極とするＡＹ電極間およびＡＸ電極間の同時放電
点Ｆ：第１電極を共通陽極とするＸＡ電極間およびＸＹ電極間の同時放電
以上の概念を用いて、漸増電圧を印加したセルの動作を説明する。
【００２８】
図４（ａ）にＸＹ電極間・ＡＹ電極間に印加するランプ電圧の波形と壁電圧を示す。ＸＹ電極間，ＡＹ電極間に印加するランプ電圧の最終値をそれぞれＶｒXY，ＶｒAYとする。図中のＨの時点でＸＹ放電が起こり、その後はランプ電圧の印加終了までＸＹ電極間のセル電圧はＶｔXYに保たれる。時点Ｈ以後の電荷移動はＸＹ電極間の放電が支配的であるので、主にＸＹ電極間の壁電圧ＶｗXYが変化する。印加電圧が増大すると、ＸＹ電極間のセル電圧がＶｔXYに保たれたまま、ＡＹ電極間のセル電圧が増大していく。このときＡＹ電極間の壁電圧ＶｗAYも多少変化するので、ＡＹ電極間のセル電圧の変化率は印加電圧の変化率と若干異なる。
【００２９】
図４（ｂ）を参照して、この状態変化の過程を説明しよう。ランプ電圧を印加する以前の初期壁電圧が点Ｇにあるとする。ランプ電圧を印加するという操作は、点Ｇから点Ｉへ向かう方向に電圧を増加させていくことに対応する。ここでベクトルＧＩは（ＶｒXY，ＶｒAY）である。ランプ電圧の印加期間におけるセル電圧は、Ｖｔ閉曲線の内部では印加電圧ベクトルに沿って増大し、点ＨでＶｔ閉曲線に衝突するとＶｔ閉曲線に沿って、同時放電点Ａに向って移動する。図ではＶｔ閉曲線上のＸＹ微小放電に対応する部分（辺ＡＦ）を移動しているので、ＸＹ電極間のセル電圧がＶｔXYに保たれ、ＡＹ電極間のセル電圧が増加している。Ｖｔ閉曲線と衝突した後にセル電圧がＶｔ閉曲線に沿って動いたセル電圧平面上の距離が、ランプ電圧印加時の発光量に対応している。すなわち、Ｖｔ閉曲線に沿って移動した距離が大きいほど発光量は多く、移動距離が小さいほど発光量は少ないことになる。
【００３０】
セル電圧がＶｔ閉曲線上を移動する際、放電がＸＹ電極間で起こっているので、壁電圧の変化（線分ＩＪ）はＸＹ電極間で大きいが、ＡＹ電極間でも壁電圧が変化する。図でベクトルＩＪの水平成分が垂直成分より大きい。ＸＹ微小放電期間中に変化するＸＹ電極間の壁電圧とＡＹ電極間の壁電圧との比（図中のｔａｎθ）は、ほぼ一定値となる。なぜなら、ＸＹ微小放電期間中はＸＹ電極間の電荷の移動が支配的で、第３電極への電荷の流入が小さいからである。例えばＰＤＰを図５に示す等価回路モデルで考えると、この比は１／（１＋ＣｗY ／ＣｗX ）となる。
【００３１】
したがって、ＸＹ微小放電が始まって壁電圧点が同時放電点Ａに向うためには、ＸＹ電極間の印加電圧とＡＹ電極間の印加電圧の比（印加電圧ベクトルの方向を示す直線の傾き）が、ＸＹ微小放電期間中に変化するＸＹ電極間の壁電圧とＡＹ電極間の壁電圧との比（以下、書込み比という）よりも大きくなければならない。図６に印加電圧ベクトルの方向を示す直線の傾きが、書込み比よりも大きい場合（印加電圧ベクトル１）と、小さい場合（印加電圧ベクトル２）におけるセル電圧の軌跡を示す。印加電圧ベクトル１では、ＸＹ放電とＡＹ放電の同時放電点Ａに向ってセル電圧が移動している。これに対し、印加電圧ベクトル２ではＸＹ放電とＸＡ放電の同時放電点Ｆに向ってセル電圧が移動することになる。
同様に、ＡＹ微小放電期間中はＡＹ電極間の電荷の移動が支配的で、第１電極への電荷の流入が小さいので、この期間の書込み比もほぼ一定値である。図５の等価回路モデルで考えると、この比は１＋ＣｗY ／ＣｗA となる。さらに同様に、ＡＸ微小放電期間中はＡＸ電極間の電荷の移動が支配的で第３電極への電荷の流入が小さいので、この期間における書込み比もほぼ一定値である。図５の等価回路モデルで考えると、この比は−ＣｗX ／ＣｗA となる。
【００３２】
以上で、微小放電時の壁電圧の調整過程がセル電圧平面上のＶｔ閉曲線を用いて解析できることを説明した。次に、本発明に係る同時放電を確実に起こさせる方法を説明する。
【００３３】
図７を参照して、セル電圧平面上の印加電圧ベクトルの傾きをｔａｎψとする。また、ＸＹ放電が起こっているときの書込み比で決まる壁電圧ベクトルの傾きをｔａｎθXYとし、ＡＹ放電が起こっているときの書込み比で決まる壁電圧ベクトルの傾きをｔａｎθAYとする。いま、傾きｔａｎψの印加電圧ベクトルを用いて、セル電圧をＸＹ放電・ＡＹ放電の同時放電点Ａ点に移動させたいとする。この印加電圧ベクトルによって同時放電点Ａに移動するためには、ψが次の条件を満たす必要がある。
【００３４】
ｔａｎθAY＞ｔａｎψ＞ｔａｎθXY
したがって、ＸＹ・ＡＹ電極間の同時放電を生じさせるためには、この条件を満足するように印加電圧の波形を設定すればよい。波形は三角波形に限らず、図８に示すようなランプ電圧にオフセット電圧が重畳したものでもよい。Ｖｔ閉曲線の内部でのセル電圧を移動しても放電が起こらないので、オフセットによりセル電圧を大きく変化させた後に、ランプ電圧で微小放電を起こさせる。この場合においても、ランプ電圧の振幅をセル電圧が同時放電点に向うような値に選定する。すなわち、図中のＶXY２，ＶAY２が同時放電点に移動するための条件を満たす必要がある。オフセット電圧の重畳は、印加電圧を０Ｖから漸増させる場合に比べて、初期化の時間を短縮することができる。加えて、Ｖｔ閉曲線に沿って移動する距離を短くして初期化過程の発光量を低減する上でもオフセット電圧の重畳は有効である。
【００３５】
実際の初期化は複数の段階（ステップ）に分かれ、段階毎にＶｔ閉曲線に基づいて適切に設定した漸増電圧を印加する。初期化の電圧設定にはＶｔ閉曲線の形状を利用する方法が有効である。この方法では、図９のように、同時放電点を通りかつ他の同時放電点を一端とする辺（放電閾値線）と平行な直線を引く。図では点Ａを通りかつ辺ＢＣに平行な直線が破線で示されている。この直線上にある壁電圧は、直線と同じ方向の印加電圧ベクトルを印加すると、２つの電極間で同時に放電が開始する。先に一方の電極間の放電が生じ、その後に同時放電が起こるという過程をとらない。このような性質を持つ６つの印加電圧ベクトルを矢印で図示してある。なお、印加電圧ベクトルは、セル電圧を同時放電点に移動させる条件を満たしているので、壁電圧が直線上から外れた場合にも同時放電を生じさせる効果をもつ。
【００３６】
図１０を参照して本発明による初期化の原理を説明する。初期化の開始時点では、その直前の表示期間における点灯セルと非点灯セルとで電荷状態に差がある。ランプ電圧を印加する以前の壁電圧（つまり印加電圧が零のときのセル電圧）が図（ａ）に白丸で示すセル１とセル２の位置にあるとする。
〔１〕これらのセルのＸＡ電極間に第３電極が陽極となるように、Ｖｔ閉曲線に基づいて計算した値ＶｔXY−ＶｔAY＋ＶｔAXの電圧を印加する。この値の電圧印加は、図１０（ｂ）の振幅のランプ電圧をＸＹ電極間・ＡＹ電極間に印加することで実現することができる。例えば各電極の電位を図１０（ｃ）のように制御すればよい。電圧印加によってＸＡ放電が起こり、２つの状態のそれぞれの壁電圧は図１０（ａ）の直線ＡＯ上の黒点に移動する。すなわち、第１ランプ電圧により壁電圧は直線ＡＯ上に揃えられる。
〔２〕次に、ＸＹ電極間・ＡＹ電極間に同じ振幅の第２ランプ電圧を印加する。第１ランプ電圧により壁電圧が直線ＡＯ上に揃えられているので、第２ランプ電圧によりＸＹ放電とＡＹ電極間放電が同時に起こる。
【００３７】
図１０の例では、第１ランプ電圧の振幅を、ＸＹ電極間は−（ＶｔXY−ＶｔAY＋ＶｔAX）／２、ＡＹ電極間は（ＶｔXY−ＶｔAY＋ＶｔAX）／２としたが、ＡＸ電極間の印加電圧がＶｔXY−ＶｔAY＋ＶｔAXであり、第１ランプ電圧でＸＡ放電が生じればよい。図１１にＡＸ電極間の印加電圧がＶｔXY−ＶｔAY＋ＶｔAXであり、ＸＹ電極間・ＡＹ電極間の電圧が図１０と異なる例を示す。
【００３８】
なお、セル構造のバラツキが生じたり、Ｖｔ閉曲線の直線近似と実測との誤差が比較的に大きくなったり、第１ランプ電圧によって壁電圧が同時放電点を通る直線から外れたりした場合においても、印加電圧ベクトルの方向が同時放電点に向うように設定されているので、同時放電を生じさせて壁電圧をアドレッシングに好適な目標値にすることができる。厳密に印加電圧を計算しなくても印加電圧ベクトルの方向を適正に設定すれば、確実に十分な初期化を行うことができる。
【００３９】
請求項１の発明の方法は、独立に電位制御の可能な少なくとも３つの電極が配置された放電セルをもつプラズマディスプレイパネルにおける印加電圧の設定方法であって、第１の電極間の実効電圧と第２の電極間の実効電圧との関係を表す座標空間において、放電の開始する電圧を表す点をプロットして壁電荷量を変化させる電荷調整放電の生じる電圧範囲を求め、前記電圧範囲に基づいて、各放電セルの第１および第２の電極間の双方で電荷調整放電を生じさせるために前記放電セルに印加する漸増電圧の波形を定めるものである。
【００４０】
請求項２の発明の設定方法では、前記電圧範囲に基づいて、前記電荷調整放電による発光量を最小化するように前記漸増電圧の波形を定める。
請求項３の発明の方法は、独立に電位制御の可能な少なくとも３つの電極が配置された放電セルをもつＰＤＰの駆動方法であって、アドレッシングの前処理として、各放電セルの少なくとも２つの電極間で、これら電極間のそれぞれへの漸増電圧の印加によって壁電荷量を変化させる電荷調整放電を同時に開始させるものである。
【００４１】
請求項４の発明の駆動方法は、アドレッシングの前処理として、各放電セルの第１の電極間で第１の電荷調整放電を生じさせた後に、第２および第３の電極間の双方で第２の電荷調整放電を同時に開始させるのである。
【００４２】
請求項５の発明の駆動方法では、前記第１の電荷調整放電を生じさせるために印加する電圧の変化と、前記第２の電荷調整放電を生じさせるために印加する電圧の変化とが、実質的に等しい。
【００４３】
請求項６の発明の駆動方法では、一定の変化率で増加する電圧の印加によって、前記電荷調整放電を生じさせる。
請求項７の発明の駆動方法では、変化率が徐々に小さくなる鈍波波形の電圧の印加によって、前記電荷調整放電を生じさせる。
【００４４】
請求項８の発明の駆動方法では、段階的に増加する階段波形の電圧の印加によって、前記電荷調整放電を生じさせる。
請求項９の発明の駆動方法では、印加対象の電極間の実効電圧が放電開始電圧を越えない期間の変化率が放電開始電圧を越える期間の変化率よりも大きい波形の電圧の印加によって、前記電荷調整放電を生じさせる。
【００４５】
請求項１０の発明の駆動方法では、印加対象の電極間の実効電圧が放電開始電圧を越えない期間では放電開始電圧を越える期間と比べて実効電圧を大きく変化させ、放電開始電圧を越える期間では実効電圧を漸増させる波形の電圧の印加によって、前記電荷調整放電を生じさせる。
【００４８】
請求項１１の発明の表示装置は、独立に電位制御の可能な少なくとも３つの電極が配置された放電セルからなる画面をもつプラズマディスプレイパネルと、アドレッシングの前処理として、各放電セルの少なくとも２つの電極間で、これら電極間のそれぞれへの漸増電圧の印加によって帯電極性を反転させずに壁電荷量を変化させる電荷調整放電を同時に開始させる駆動回路とを備える。
【００４９】
【発明の実施の形態】
図１２は本発明に係る表示装置の構成図である。表示装置１００は、ｍ列ｎ行の画面をもつ面放電型のＰＤＰ１と、縦横に並ぶ放電セルを選択的に発光させるためのドライブユニット７０とから構成されており、壁掛け式テレビジョン受像機、コンピュータシステムのモニターなどとして利用される。
【００５０】
ＰＤＰ１では、表示放電を生じさせるための第１及び第２の電極Ｘ，Ｙが平行配置され、電極Ｘ，Ｙと交差するように第３の電極（アドレス電極）Ａが配列されている。電極Ｘ，Ｙは画面の行方向（水平方向）に延び、これらのうちの電極Ｙはアドレッシングに際して行選択のためのスキャン電極として用いられる。電極Ａは列方向（垂直方向）に延びており、列選択のためのデータ電極として用いられる。
【００５１】
ドライブユニット７０は、駆動制御を担う制御回路７１、電源回路７３、Ｘドライバ７４、Ｙドライバ７７、及びアドレスドライバ８０を有している。ドライブユニット７０にはＴＶチューナ、コンピュータなどの外部装置からＲ，Ｇ，Ｂの３色の輝度レベルを示す多値画像データであるフレームドデータＤｆが、各種の同期信号とともに入力される。制御回路７１は、フレームドデータＤｆを一時的に記憶するフレームメモリ７１１を備えている。
【００５２】
フレームデータＤｆは、フレームメモリ７１１に一旦格納された後、階調表示のためのサブフィールドデータＤｓｆに変換されてアドレスドライバ８０へ転送される。サブフィールドデータＤｓｆはｑ個のサブフレームを表すｑビットの表示データであって（１サブピクセル当たり１ビットの表示データがｑ画面分集まったものとも言える）、ＳＦ（サブフィールド）は解像度ｍ×ｎの２値画像である。サブフィールドデータＤｓｆの各ビットの値は、該当する１つのサブフレームにおけるサブピクセルの発光の要否、厳密にはアドレス放電の要否を示す。
【００５３】
Ｘドライバ７４は、ｎ本の主電極Ｘの電位を一括に制御する。Ｙドライバ７７は、スキャンドライバ７８と共通ドライバ７９とからなる。スキャンドライバ７８はアドレッシングにおける行選択のための電位切換え手段である。アドレスドライバ８０は、サブフィールドデータＤｓｆに基づいて、計ｍ本の電極Ａの電位を制御する。これらドライバには電源回路７３から図示しない配線導体を介して所定の電力が供給される。
【００５４】
図１３は本発明に係るＰＤＰのセル構造を示す図である。ＰＤＰ１は一対の基板構体（基板上に放電セルの構成要素を設けた構造体）１０，２０からなる。画面ＥＳを構成する各放電セルにおいて、一対の電極Ｘ，Ｙと電極Ａとが交差する。電極Ｘ，Ｙは、前面側の基板構体１０の基材であるガラス基板１１の内面に配列されており、それぞれが面放電ギャップを形成する透明導電膜４１と行の全長にわたって延びる金属膜（バス電極）４２とからなる。電極Ｘ，Ｙを被覆するように厚さ３０〜５０μｍ程度の誘電体層１７が設けられ、誘電体層１７の表面には保護膜１８としてマグネシア（ＭｇＯ）が被着されている。
【００５５】
電極Ａは、背面側の基板構体２０の基材であるガラス基板２１の内面に配列されており、誘電体層２４によって被覆されている。誘電体層２４の上には、高さ１５０μｍ程度の帯状の隔壁２９が各電極Ａの間に１つずつ設けられている。これらの隔壁２９によって放電空間が行方向（画面ＥＳの水平方向）に列毎に区画されている。放電空間のうちの各列に対応した列空間３１は全ての行に跨がって連続している。そして、電極Ａの上方及び隔壁２９の側面を含めて背面側の内面を被覆するように、カラー表示のためのＲ，Ｇ，Ｂの３色の蛍光体層２８Ｒ，２８Ｇ，２８Ｂが設けられている。図中の斜体アルファベットＲ，Ｇ，Ｂは蛍光体の発光色を示す。蛍光体層２８Ｒ，２８Ｇ，２８Ｂは放電ガスが放つ紫外線によって局部的に励起されて発光する。一対の電極Ｘ，Ｙで画定される１行のうちの１列分の構造体（その発光色はＲ，Ｇ，Ｂのいずれか）がセルである。
【００５６】
図１４は駆動シーケンスの概要を示す電圧波形図である。電極Ｘ，Ｙの符号に付した添字は該当する行の配列順位を示し、電極Ａの符号に付した添字は該当する列の配列順位を示す。
【００５７】
表示においては階調を再現するために、従来と同様に時系列のフィールドを所定個数ｐのＳＦ（サブフィールド）に分割する。各ＳＦに割り当てるサブフィールド期間Ｔｓｆは、画面の帯電分布を一様化する準備期間ＴＲ、表示内容に応じた帯電分布を形成するアドレス期間ＴＡ、及び階調値に応じた輝度を確保するサステイン期間ＴＳからなる。アドレス期間ＴＡの長さは輝度の重みに係わらず一定であるが、サステイン期間ＴＳの長さは輝度の重みが大きいほど長い。準備期間ＴＲの長さは、全てのＳＦで同じ内容の初期化を行う場合には一定であり、輝度の重みに応じて初期化の内容を変更する場合には一定でない。
【００５８】
準備期間ＴＲにおける初期化過程は複数の段階に分かれる。図は２段階の例を示している。ＰＤＰ１に対する実測で得たＶｔ閉曲線に基づいて印加電圧ベクトルを計算し、段階毎にＸＹ電極間・ＡＹ電極間・ＡＸ電極間に適切な漸増電圧（図ではランプ電圧）を印加する。図１４では、全ての電極Ａ1 〜Ａm に対してランプ波形パルスＰｒａ１とそれの反対極性のランプ波形パルスＰｒａ２とを順に印加し、全ての電極Ｘ1 〜Ｘn に対してランプ波形パルスＰｒｘ１とそれの反対極性のランプ波形パルスＰｒｘ２とを順に印加し、全ての電極Ｙ1 〜Ｙn に対してランプ波形パルスＰｒｙ１とそれの反対極性のランプ波形パルスＰｒｙ２とを順に印加する。ここでいうパルスの印加とは、一時的に電極を基準電位（例えば接地電位）と異なる電位にバイアスすることである。
【００５９】
アドレス期間ＴＡにおいては、点灯すべきセルのみに点灯維持に必要な壁電荷を形成する。全ての主電極Ｘ1 〜Ｘn 及び全ての電極Ｙ1 〜Ｙn を所定電位にバイアスした状態で、行選択期間（１行分のスキャン時間）毎に選択行に対応した１つの電極ＹにスキャンパルスＰｙを印加する。この行選択と同時に点灯すべきセルに対応した電極ＡのみにアドレスパルスＰａを印加する。つまり選択行のｍ列分のサブフィールドデータＤｓｆに基づいて電極Ａ1 〜Ａm の電位を２値制御する。点灯すべきセルでは電極Ｙと電極Ａとの間の放電が生じ、それがトリガとなってＸＹ電極間の面放電が生じる。これら一連の放電がアドレス放電である。
【００６０】
サステイン期間ＴＳにおいては、最初に全ての主電極Ｙ1 〜Ｙn に対して所定極性（例示では正極性）の表示パルスＰｓを印加する。その後、電極Ｘ1 〜Ｘn と電極Ｙ1 〜Ｙn とに対して交互に表示パルスＰｓを印加する。本例では最終の表示パルスＰｓは電極Ｘ1 〜Ｘn に印加される。表示パルスＰｓの印加によって、アドレス期間ＴＡにおいて壁電荷の残されたセルで面放電が生じる。そして、面放電が生じる毎に電極間の壁電圧の極性が反転する。なお、サステイン期間ＴＳにわたって不要の放電を防止するために電極Ａ1 〜Ａm を表示パルスＰｓと同極性にバイアスする。
【００６１】
以下に準備期間ＴＲにおける初期化の種々の例を挙げる。
図１５の例における印加電圧ベクトルは、電極Ａを陽極とするＡＸ電極間・ＡＹ電極間の同時放電点Ｂにセル電圧を移動させる。
【００６２】
図１６の例における印加電圧ベクトルは、電極Ｘを陰極とするＡＸ電極間・ＹＸ電極間の同時放電点Ｃにセル電圧を移動させる。
図１７の例における印加電圧ベクトルは、電極Ｙを陽極とするＹＸ電極間・ＹＡ電極間の同時放電点Ｄにセル電圧を移動させる。
【００６３】
図１８の例における印加電圧ベクトルは、電極Ａを陰極とするＹＡ電極間・ＸＡ電極間の同時放電点Ｅにセル電圧を移動させる。
図１９の例における印加電圧ベクトルは、電極Ｘを陽極とするＸＡ電極間・ＸＹ電極間の同時放電点Ｆにセル電圧を移動させる。
【００６４】
図２０の例における印加電圧ベクトルは、電極Ｙを共通陽極とするＹＸ電極間・ＹＡ電極間の同時放電点Ｄにセル電圧を移動させる場合の前半段階の操作として、電極Ａを陽極とするＡＸ放電を起こす。ここで、前半段階でＡＸ電極間に印加する電圧をＶｔYA−ＶｔYX＋ＶｔAXの付近に選ぶと、後半段階のランプ電圧によって、電極Ｙを共通陽極とするＹＸ電極間・ＹＡ電極間の同時放電を起こすことができる。
【００６５】
図２１の例における印加電圧ベクトルは、電極Ｙを共通陽極とするＹＸ電極間・ＹＡ電極間の同時放電点Ｄにセル電圧を移動させる場合の前半段階の操作として、電極Ｘを陽極とするＸＡ放電を起こす。ここで、前半段階でＸＡ電極間に印加する電圧をＶｔYX−ＶｔYA＋ＶｔXAの付近に選ぶと、後半段階のランプ電圧によって、電極Ｙを共通陽極とするＹＸ電極間・ＹＡ電極間の同時放電を起こすことができる。
【００６６】
図２２の例における印加電圧ベクトルは、電極Ｙを共通陰極とするＹＸ電極間・ＹＡ電極間の同時放電点Ａにセル電圧を移動させる場合の前半段階の操作として、電極Ｘを陽極とするＸＡ放電を起こす。ここで、前半段階でＸＡ電極間に印加する電圧をＶｔAY−ＶｔXY＋ＶｔXAの付近に選ぶと、後半段階のランプ電圧によって、電極Ｙを共通陰極とするＹＸ電極間・ＹＡ電極間の同時放電を即座に起こすことができる。
【００６７】
図２３の例における印加電圧ベクトルは、電極Ａを共通陰極とするＸＡ電極間・ＹＡ電極間の同時放電点Ｅにセル電圧を移動させる場合の前半段階の操作として、電極Ｙを陽極とするＹＸ放電を起こす。ここで、前半段階でＹＸ電極間に印加する電圧をＶｔYX−ＶｔYA＋ＶｔXAの付近に選ぶと、後半段階のランプ電圧によって、電極Ａを共通陰極とするＸＡ電極間・ＹＡ電極間の同時放電を起こすことができる。
【００６８】
図２４の例における印加電圧ベクトルは、電極Ａを共通陽極とするＡＸ電極間・ＡＹ電極間の同時放電点Ｂにセル電圧を移動させる場合の前半段階の操作として、電極Ｙを陽極とするＹＸ放電を起こす。ここで、前半段階でＹＸ電極間に印加する電圧をＶｔYX−ＶｔAX＋ＶｔAYの付近に選ぶと、後半段階のランプ電圧によって、電極Ａを共通陽極とするＡＸ電極間・ＡＹ電極間の同時放電を起こすことができる。
【００６９】
図２５の例における印加電圧ベクトルは、電極Ｘを共通陰極とするＹＸ電極間・ＡＸ電極間の同時放電点Ｃにセル電圧を移動させる場合の前半段階の操作として、電極Ｙを陽極とするＹＡ放電を起こす。ここで、前半段階でＹＡ電極間に印加する電圧をＶｔYA−ＶｔYX＋ＶｔAXの付近に選ぶと、後半段階のランプ電圧によって、電極Ｘを共通陽極とするＹＸ電極間・ＡＸ電極間の同時放電を起こすことができる。
【００７０】
図２６の例における印加電圧ベクトルは、電極Ｘを共通陽極とするＸＡ電極間・ＸＹ電極間の同時放電点Ｆにセル電圧を移動させる場合の前半段階の操作として、電極Ｙを陽極とするＹＡ放電を起こす。ここで、前半段階でＹＡ電極間に印加する電圧をＶｔXY−ＶｔXA＋ＶｔYAの付近に選ぶと、後半段階のランプ電圧によって、電極Ｘを共通陽極とするＸＡ電極間・ＸＹ間の同時放電を起こすことができる。
【００７１】
図２７の例における印加電圧ベクトルは、電極Ｘを共通陽極とするＸＡ電極間・ＸＹ電極間の同時放電点Ｆにセル電圧を移動させる場合の前半段階の操作として、電極Ａを陽極とするＡＹ放電を起こす。ここで、前半段階でＡＹ電極間に印加する電圧をＶｔAY−ＶｔXY＋ＶｔXAの付近に選ぶと、後半段階のランプ電圧によって、電極Ｘを共通陽極とするＸＡ電極間・ＸＹ電極間の同時放電を起こすことができる。
【００７２】
図２８の例における印加電圧ベクトルは、電極Ｘを共通陰極とするＡＸ電極間・ＹＸ電極間の同時放電点Ｃにセル電圧を移動させる場合の前半段階の操作として、電極Ａを陽極とするＡＹ放電を起こす。ここで、前半段階でＡＹ電極間に印加する電圧をＶｔAY−ＶｔAX＋ＶｔYXの付近に選ぶと、後半段階のランプ電圧によって、電極Ｘを共通陰極とするＹＸ電極間・ＡＸ電極間の同時放電を起こすことができる。
【００７３】
図２９の例における印加電圧ベクトルは、電極Ａを共通陽極とするＡＹ電極間・ＡＸ電極間の同時放電点Ｂにセル電圧を移動させる場合の前半段階の操作として、電極Ｘを陽極とするＸＹ放電を起こす。ここで、前半段階でＸＹ電極間に印加する電圧をＶｔXY−ＶｔAY＋ＶｔAXの付近に選ぶと、後半段階のランプ電圧によって、電極Ａを共通陽極とするＡＹ電極間・ＡＸ電極間の同時放電を起こすことができる。
【００７４】
図３０の例における印加電圧ベクトルは、電極Ａを共通陰極とするＸＡ電極間・ＹＡ電極間の同時放電点Ｅにセル電圧を移動させる場合の前半段階の操作として、電極Ｘを陽極とするＸＹ放電を起こす。ここで、前半段階でＸＹ電極間に印加する電圧をＶｔXY−ＶｔXA＋ＶｔYAの付近に選ぶと、後半段階のランプ電圧によって、電極Ａを共通陰極とするＸＡ電極間・ＹＡ電極間の同時放電を起こすことができる。
【００７５】
以上の例の中から複数の印加電圧ベクトルを選択して組み合わせ、複数段階の初期化過程を構成することにより、初期化の信頼性を高めることができる。ただし、段階数が増加するにつれて初期化過程の所要時間が延びるので、段階数をできるだけ少なくするのが望ましい。１フィールドにおける初期化の総所要時間を短縮するには、段階数の異なる少なくとも２種以上の初期化過程を組み合わせることが有効である。
【００７６】
図３１に示すシーケンスのフィールド期間Ｔｓｆは、第１の電圧印加パターンで初期化を行う準備期間ＴＲ１と、それよりも段階数の多い第２の電圧印加パターンで初期化を行う準備期間ＴＲ２とを含む。１つのサブフィールド（ＳＦ４）に準備期間ＴＲ２が割り当てられ、他の複数のサブフィールドには準備期間ＴＲ１が割り当てられている。つまり、１フィールドに１回の割合で、より確実な初期化を行う。なお、任意のサブフィールドに準備期間ＴＲ１を割り当てることができる。
【００７７】
図３２の例では、各サブフィールドに準備期間ＴＲ１を割り当て、さらに１フィールドに１つの割合で準備期間ＴＲ２が割り当てられている。一般に表示過程における表示パルス数が多いほど、初期化が不十分になり易い。図３３の例では、１フィールドの中で比較的に表示パルス数が多いサブフィールドの次のサブフィールドと、表示パルス数が少ないサブフィールドの次のサブフィールドとで段階数の異なる初期化の使い分けが行われている。
【００７８】
以上の実施形態において、ランプ電圧に代えて、図３４に示す鈍波波形または図３５に示す階段波形の漸増電圧を印加してもよい。ただし、鈍波波形の場合には、電圧変化率が微小放電を起こす値以下になる以前にセル電圧が放電開始閾値電圧に達してはならない。また、階段波形の場合には、間欠的な微小放電が起こるように、階段１ステップ当たりの電圧変化量と時間幅を決定しなければならない。微小放電が起こる条件を満たす限り、電圧変化量と時間幅はステップ毎に異なってもよい。電源インピーダンスの影響で、放電により一時的に電圧変化の方向が変ってもよい。さらに、例示以外でも微小放電が起こる電圧波形であればそれを採用することができる。
【００７９】
【発明の効果】
請求項１乃至請求項１１の発明によれば、壁電圧を目標どおりに調整することができ、駆動電圧マージンを拡げることができる。
請求項３乃至請求項１１の発明によれば、壁電圧を目標どおりに調整することができ、駆動電圧マージンを拡げることができ、しかも調整にともなう不要の発光を低減することができる。
【図面の簡単な説明】
【図１】セル電圧平面を示す図である。
【図２】Ｖｔ閉曲線の説明図である。
【図３】Ｖｔ閉曲線の実測例を示す図である。
【図４】セルの動作の説明図である。
【図５】３電極構造のセルの等価回路モデルを示す図である。
【図６】印加電圧ベクトルの方向とセル電圧変化との関係を示す図である。
【図７】印加電圧ベクトルの方向とセル電圧変化との関係を示す図である。
【図８】印加電圧ベクトルの方向とセル電圧変化との関係を示す図である。
【図９】本発明の電圧設定の手順を説明するための図である。
【図１０】本発明の初期化の第１例を示す図である。
【図１１】本発明の初期化の第２例を示す図である。
【図１２】本発明に係る表示装置の構成図である。
【図１３】本発明に係るＰＤＰのセル構造を示す図である。
【図１４】駆動シーケンスの概要を示す電圧波形図である。
【図１５】印加電圧ベクトルの第１例を示す図である。
【図１６】印加電圧ベクトルの第２例を示す図である。
【図１７】印加電圧ベクトルの第３例を示す図である。
【図１８】印加電圧ベクトルの第４例を示す図である。
【図１９】印加電圧ベクトルの第５例を示す図である。
【図２０】印加電圧ベクトルの第６例を示す図である。
【図２１】印加電圧ベクトルの第７例を示す図である。
【図２２】印加電圧ベクトルの第８例を示す図である。
【図２３】印加電圧ベクトルの第９例を示す図である。
【図２４】印加電圧ベクトルの第１０例を示す図である。
【図２５】印加電圧ベクトルの第１１例を示す図である。
【図２６】印加電圧ベクトルの第１２例を示す図である。
【図２７】印加電圧ベクトルの第１３例を示す図である。
【図２８】印加電圧ベクトルの第１４例を示す図である。
【図２９】印加電圧ベクトルの第１５例を示す図である。
【図３０】印加電圧ベクトルの第１６例を示す図である。
【図３１】複数書の初期化の実施時期の第１例を示す図である。
【図３２】複数書の初期化の実施時期の第２例を示す図である。
【図３３】複数書の初期化の実施時期の第３例を示す図である。
【図３４】漸増電圧の他の例を示す波形図である。
【図３５】漸増電圧の他の例を示す波形図である。
【図３６】従来の初期化を説明するための図である。
【図３７】同時放電が起こらない印加電圧波形の第１例を示す図である。
【図３８】同時放電が起こらない印加電圧波形の第２例を示す図である。
【符号の説明】
Ｘ，Ｙ，Ａ  電極
１  ＰＤＰ（プラズマディスプレイパネル）
Ｐｒａ１，Ｐｒａ２  ランプ波形パルス（漸増電圧）
Ｐｒｘ１，Ｐｒｘ２  ランプ波形パルス（漸増電圧）
Ｐｒｙ１，Ｐｒｙ２  ランプ波形パルス（漸増電圧）
ＴＲ  準備期間
ＴＡ  アドレス期間
７０  ドライブユニット（駆動回路）
１００  表示装置。
【図１】
0003772958.tif 000002
【図２】
0003772958.tif 000003
【図３】
0003772958.tif 000004
【図４】
0003772958.tif 000005
【図５】
0003772958.tif 000006
【図６】
0003772958.tif 000007
【図７】
0003772958.tif 000008
【図８】
0003772958.tif 000009
【図９】
0003772958.tif 000010
【図１０】
0003772958.tif 000011
【図１１】
0003772958.tif 000012
【図１２】
0003772958.tif 000013
【図１３】
0003772958.tif 000014
【図１４】
0003772958.tif 000015
【図１５】
0003772958.tif 000016
【図１６】
0003772958.tif 000017
【図１７】
0003772958.tif 000018
【図１８】
0003772958.tif 000019
【図１９】
0003772958.tif 000020
【図２０】
0003772958.tif 000021
【図２１】
0003772958.tif 000022
【図２２】
0003772958.tif 000023
【図２３】
0003772958.tif 000024
【図２４】
0003772958.tif 000025
【図２５】
0003772958.tif 000026
【図２６】
0003772958.tif 000027
【図２７】
0003772958.tif 000028
【図２８】
0003772958.tif 000029
【図２９】
0003772958.tif 000030
【図３０】
0003772958.tif 000031
【図３１】
0003772958.tif 000032
【図３２】
0003772958.tif 000033
【図３３】
0003772958.tif 000034
【図３４】
0003772958.tif 000035
【図３５】
0003772958.tif 000036
【図３６】
0003772958.tif 000037
【図３７】
0003772958.tif 000038
【図３８】
0003772958.tif 000039